(57)【要約】【課題】  電池電圧をモニタして常に電圧の高い電池から電力を供給する回路では、電池電圧をモニタして比較し、更には電池出力を切り替える手段を持たなくてはならず、電子機器の非動作時の消費電流を少なくできないという問題点があった。【解決手段】  第１の経路と前記第１の経路よりもインピーダンスの低い第２の経路とを切換え可能な切換回路を有するバッテリを電源として使用する電子機器であって、前記電子機器の電源をオン・オフする電源制御手段と、前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信手段とを有する。【選択図】  図１
2007060837.tif 000002
【特許請求の範囲】
【請求項１】
第１の経路と前記第１の経路よりもインピーダンスの低い第２の経路とを切換え可能な切換回路を有するバッテリを電源として使用する電子機器であって、
前記電子機器の電源をオン・オフする電源制御手段と、
前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信手段とを有することを特徴とする電子機器。
【請求項２】
第１の経路と前記第１の経路よりも自己消費電流の高い第２の経路とを切換え可能な切換回路を有するバッテリを電源として使用する電子機器であって、
前記電子機器の電源をオン・オフする電源制御手段と、
前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信手段とを有することを特徴とする電子機器。
【請求項３】
第１の経路と前記第１の経路よりもインピーダンスの低い第２の経路とを切換え可能な切換回路を有するバッテリを電源として使用する電子機器の制御方法であって、
前記電子機器の電源をオン・オフする電源制御工程と、
前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信工程とを有することを特徴とする電子機器の制御方法。
【請求項４】
第１の経路と前記第１の経路よりも自己消費電流の高い第２の経路とを切換え可能な切換回路を有するバッテリを電源として使用する電子機器の制御方法であって、
前記電子機器の電源をオン・オフする電源制御工程と、
前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信工程とを有することを特徴とする電子機器の制御方法。
【発明の詳細な説明】
【技術分野】
【０００１】
本発明は電池にて駆動する電子機器およびその制御方法に関するものである。
【背景技術】
【０００２】
電子機器本体に接続される外部電源装置が複数の電池ブロックを有し、これらがそれぞれスイッチを介して並列接続することが知られている。この外部電源装置は、電池ブロックの端子電圧の検出手段と、スイッチング手段用制御手段とが設けられ、電池ブロックは単一の電池ブロックのみが機器本体の駆動電圧として使用される。端子電圧が基準電圧以下になったときには、端子電圧の高い電池ブロックに順次自動的に切り替えられる。（特許文献１参照）
【特許文献１】特開平０８−０６５９１９号公報
【発明の開示】
【発明が解決しようとする課題】
【０００３】
上記電子機器システムにおいては、複数の電池を接続した場合にユーザーが何不自由なく電子機器システムを操作できるようにバッテリパックにどちらの電池電圧をモニタして常に電圧の高い電池から電力を供給する回路が搭載されている。
【０００４】
しかしながら、上記回路を構成するためにはそれぞれの電池電圧をモニタして比較し、更には電池出力を切り替える手段を持たなくてはならず、電子機器システムの非動作時の消費電流を少なくできないという問題点があった。
【課題を解決するための手段】
【０００５】
本発明は、第１の経路と前記第１の経路よりもインピーダンスの低い第２の経路とを切換え可能な切換回路を有するバッテリを電源として使用する電子機器であって、前記電子機器の電源をオン・オフする電源制御手段と、前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信手段とを有することを特徴としている。
【０００６】
本発明は、第１の経路と前記第１の経路よりも自己消費電流の高い第２の経路とを切換え可能な切換回路を有するバッテリを電源として使用する電子機器であって、前記電子機器の電源をオン・オフする電源制御手段と、前記電子機器の電源がオンされた場合に、前記第２の経路に切換えるように前記切換回路に制御信号を送信し、前記電子機器の電源がオフされた場合に、前記第１の経路に切換えるように前記切換回路に制御信号を送信する送信手段とを有することを特徴としている。
【発明の効果】
【０００７】
本発明によると、電子機器の電源がオフしている場合の消費電流を少なくすることができ、電子機器を長時間駆動することが可能になる。
【発明を実施するための最良の形態】
【０００８】
図１は本発明の実施の形態を表すブロック図である。図１の１００は本発明のカメラ等の電子機器、１０１は図２のバッテリパック３００の接続部３０１との接続部であり、１０１ａ正極の接点、１０１ｂは負極の接点、１０１ｃはバッテリパック３００との接点で、図１においてマイクロコンピュータ１０３からのバッテリパックへの制御信号の接点である。１０３は電子機器１００の動作を行う為のマイクロコンピュータ（以下マイコン１００）であり、１０５はＤＣ／ＤＣコンバータでありバッテリパック３００から供給された電圧を表示部材１０７、負荷１０８の所望の電圧へ変換を行う。
【０００９】
図２は機器１００に接続可能なバッテリパック３００であり以下説明を行う。３０１は機器１００との接続部であり、機器１００の接続部１０１に差し込まれ、バッテリパック３００の正極接点３０１ａが機器の正極接点１０１ａと、バッテリパック３００の正極接点３０１ｂが機器の正極接点１０１ｂと接続される。
【００１０】
また、バッテリパック３００の制御接点３０１ｃが機器の制御接点１０１ｃと接続されている。３０３ａ、３０３ｂは電池である。３０５は電池切り替え回路で、接点３０１ａを介して図１のマイコン１０３からの制御信号を受けて動作を行う。
【００１１】
図３は電池切り替え回路３０５の詳細図である。４００ａ，４００ｂは既知のＰ型ＭＯＳトランジスタである。Ｐ型ＭＯＳトランジスタはその構造上そのソース端子からドレイン端子に向かって寄生ダイオードがつくことが知られている。そのため電池３０２ａ，３０２ｂがバッテリパックに装着されているとＰ型ＭＯＳトランジスタ４００ａ，４００ｂの寄生ダイオードを介して出力の電位が上昇する。このときに寄生ダイオードに流せる電流はごくわずかであり電子機器１００内にＤＣ／ＤＣコンバータを１０５を駆動することは出来ないが、流せる電流がごく微小なため消費電力は少なく電池の消耗はごく微量となる。
【００１２】
４０１はプルダウン抵抗であって、バッテリパック３００が電子機器１００に接続されていないときにトランジスタ４０２が誤動作しないために構成されている。トランジスタ４０２がＯＮすると、抵抗４０３ａ，４０３ｂ，４０５ａ，４０５ｂ、ダイオード４０４ａ，４０４ｂに電流が流れトランジスタ４０６ａ，４０６ｂを駆動する。トランジスタ４０６ａ，４０６ｂがオンすると抵抗４０７ａ，４０８ａ，４０７ｂ，４０８ｂに電流が流れ４０７ａ，４０８ａ（４０７ｂ，４０８ｂ）で分圧された電圧がコンパレータ４１２ａ、４１２ｂに入力される。コンパレータ４１２ａ，４１２ｂのもう一方の入力は４００ａ，４００ｂの出力電圧となる。トランジスタＯＮしたときの電圧は寄生ダイオードのカソード側の電圧となりダイオードの特性上電池３０２ａ，３０２ｂの電池電圧のどちらか高い電圧となる。
【００１３】
電池３０２ａの電圧が電池３０２ｂの電圧より大きい場合には、ＭＯＳトランジスタ４００ａ，４００ｂの出力側の電圧は電池３０２ａの電圧とほぼ等しくなる。このときに４１２ａの出力はＬＯとなり、４１２ｂの出力はＨｉとなる。するとＭＯＳトランジスタ４００ａはＯＮするがＭＯＳトランジスタ４００ｂはオフしたままになる。
【００１４】
この状態でしばらく電子機器１００を使用すると電池３０２ａの電圧が低下して、電池３０２ａの電圧が電池３０２ｂの電圧より小さくなる。すると、コンパレータ４１２ａの出力がＬからＨに反転し、コンパレータ４１２ｂの出力がＨからＬに反転する。そして、ＭＯＳトランジスタ４００ａのゲート電位は上昇してオフし、逆にＭＯＳトランジスタ４００ｂのゲート電位は下降してオンする。その結果、電子機器１００に電力を供給する電源が電池３０２ａから電池３０２ｂに切り替わる。
【００１５】
４０４ａ，４０４ｂ，４０９ａ，４０９ｂ，４１１ａ，４１１ｂはダイオードで逆流防止用である。電池３０２ａの電圧が電池３０２ｂの電圧より大きい場合について説明したが、電池３０２ｂの電圧が電池３０２ａの電圧より大きい場合にも同様な動作を行う。
【００１６】
図４のフローチャートを用いて、電子機器１００の電源がオンするときの動作を説明する。Ｓ１０１では電子機器１００の電源ＯＮ／ＯＦＦスイッチがＬｏになっているかＨｉになっているか判定する。電源ＯＮ／ＯＦＦスイッチがＬｏの場合は電子機器１００の電源が入っておりＳ１０２へ進み、電源ＯＮ／ＯＦＦスイッチがＨｉの場合は電子機器１００の電源が入っていないので、Ｓ１０１で待ち続ける。Ｓ１０１で電源ＯＮ／ＯＦＦスイッチがＬｏと判定されたら、Ｓ１０２ではマイコン１０３は端子ＢＡＴＳＥＬをＨｉにドライブする。このＢＡＴＳＥＬがＨｉになったときに図１における端子１０１ｃ，図２における端子３０１ｃを介して、電圧切り替え回路３０５、トランジスタ４０２、抵抗４０１へ電圧を供給する。すると、上述したように図４のトランジスタ４０６ａ，４０６ｂの動作が可能となり、電圧選択回路３０５が起動して、電子機器に供給される電源のインピーダンスは低くなる。Ｓ１０３はＢＡＴＳＥＬをＨｉにしてから、電源系のインピーダンスが低くなるまでウエイト時間である。この時間は数十ｍｓｅｃと設定している。
【００１７】
Ｓ１０４ではマイコン１０３はマイコン内のポートＤＣＯＮをＨｉにする。すると、電子機器内のＤＣ／ＤＣコンバータが起動する。Ｓ１０５では起動したＤＣ／ＤＣコンバータの生成した電源を電子機器内の表示部材１０７や負荷１０８へ駆動する。
【００１８】
図５のフローチャートを用いて、電子機器１００の電源がオフするときの動作を説明する。Ｓ２０１では電子機器の電源ＯＮ／ＯＦＦスイッチがＬｏになっているかＨｉになっているか判定する。電源ＯＮ／ＯＦＦスイッチがＨｉの場合は電源がオフの状態であるのでＳ２０２へ進み、電源ＯＮ／ＯＦＦスイッチがＬｏの場合は電源がオンの状態であるのでＳ２０１で待ち続ける。Ｓ１０１で電源ＯＮ／ＯＦＦスイッチがＨｉと判定されたら、Ｓ２０２ではマイコン１０３はマイコン内のポートＤＣＯＮをＬｏにする。すると、電子機器内のＤＣ／ＤＣコンバータがオフになる。Ｓ２０３ではＤＣ／ＤＣコンバータの出力がオフになっており電子機器内の表示部材１０７や負荷１０８への給電が停止される。
【００１９】
Ｓ２０４は電源系が低インピーダンスの系から高インピーダンスの系に移り変わる間を待つＷＡＩＴである。Ｓ２０５ではマイコン１０３は端子ＢＡＴＳＥＬをＬｏにドライブする。このＢＡＴＳＥＬがＬｏになると、図１における端子１０１ｃ，図２における端子３０１ｃを介して、電圧切り替え回路３０５、トランジスタ４０２、抵抗４０１がＧＮＤとなり電圧切り替え回路３０５は動作しなくなりシステムの消費電流の低減化を図ることが出来る。
【図面の簡単な説明】
【００２０】
【図１】本発明の実施形態である機器本体の構成を示すブロック図である。
【図２】本発明の実施形態である機器に装着されるバッテリパックのブロック図である。
【図３】本発明の実施形態である機器に装着されるバッテリパック内の電池切り替え回路の回路図である。
【図４】本発明の実施形態である機器本体の起動時の動作を説明するフローチャートである。
【図５】本発明の実施形態である機器本体の電源オフ時の動作を説明するフローチャートである。
【符号の説明】
【００２１】
１００  機器本体
１０１  電池パック、バッテリパックとの接続部
１０１ａ  機器本体の正極の接点
１０１ｂ  機器本体の負極の接点
１０１ｃ  機器本体の接続判別接点
３００  バッテリパック
３０１  バッテリパックの機器本体との接続部
３０１ａ  バッテリパックと電池の正極接点
３０３ｂ  バッテリパックと電池の負極の接点
３０１ｃ  バッテリパックへの制御接点
【図１】
2007060837.tif 000003
【図２】
2007060837.tif 000004
【図３】
2007060837.tif 000005
【図４】
2007060837.tif 000006
【図５】
2007060837.tif 000007